(57)【要約】【課題】本発明は、作業員が１名であっても便器本体の着脱作業を容易に行うことができるとともに、取り外し後の便器本体を安定して支持することができる壁掛式便器の着脱治具を提供する。【解決手段】一対の便器受け部材７，８のそれぞれの上面及び側面のなす角には、切り欠き状の傾斜面部７ａ，８ａが設けられている。一対の便器受け部材７，８の傾斜面部７ａ，８ａの形状は、便器本体２０の下部の外面のうち間口方向両側の形状に対応している。一対の便器受け部材７，８の傾斜面部７ａ，８ａのそれぞれと、便器本体２０の底面部の外面のうち間口方向両側のそれぞれとが接触することによって、便器本体２０の下部が一対の便器受け部材７，８同士の間に嵌り込む。そして、便器本体２０の下部が一対の便器受け部材７，８同士の間に嵌り込むことによって、便器本体２０が便器用台車１により支持される。【選択図】図６
2009203618.tif 000002
【特許請求の範囲】
【請求項１】
予め設定された取付高さ位置で床面から上方へ間隔をおいて壁面に固定され、かつ前記壁面から前方へ突出するように配置され、下部の形状が下方へ向けて先細なテーパ状である便器本体を有する壁掛式便器の着脱作業に用いられる壁掛式便器の着脱治具であって、
前記便器本体の前記下部の外面のうち間口方向両側のそれぞれと接触可能な一対の便器受け部材が互いに間隔をおいて設けられ、前記一対の便器受け部材と前記便器本体の前記下部の前記外面とが接触して前記一対の便器受け部材の間に前記便器本体の前記下部が嵌ることによって、前記便器本体を前記取付高さ位置で支持し、前記便器本体を支持したままの状態で移動可能な便器用台車
を備えたことを特徴とする壁掛式便器の着脱治具。
【請求項２】
前記一対の便器受け部材の前記便器本体との接触箇所には、前記便器本体の前記下部の形状に対応するように、下方へ向けて傾斜する傾斜面部が設けられている
ことを特徴とする請求項１記載の壁掛式便器の着脱治具。
【請求項３】
前記一対の便器受け部材は、弾性体によって形成されている
ことを特徴とする請求項１又は請求項２に記載の壁掛式便器の着脱治具。
【請求項４】
前記一対の便器受け部材同士の間の空間は、前記便器用台車が前記壁面に対向しているときに前記壁面から前方へ向けて先細に連続的に窄むように形成されている
ことを特徴とする請求項１から請求項３までのいずれか１項に記載の壁掛式便器の着脱治具。
【発明の詳細な説明】
【技術分野】
【０００１】
この発明は、トイレの個室内の壁面に固定された壁掛式便器の着脱作業に用いられる壁掛式便器の着脱治具に関する。
【背景技術】
【０００２】
例えば、特許文献１に示すような壁掛式便器（壁排水式便器）では、腰掛用の便器本体の背面部がボルトに螺入されることによってトイレの壁面に固定され、便器本体の下端部が床面から上方に間隔をおいて配置されている。
【０００３】
【特許文献１】特開平１０−１２１５５４号公報
【発明の開示】
【発明が解決しようとする課題】
【０００４】
ここで、上記のような壁掛式便器を壁から取り外す際には、便器本体がトイレの壁面のみに支持されているため、便器本体を支えながらボルトを外す必要があり、一般的に作業員２名により着脱作業が行われる。しかしながら、トイレの個室（ブース）は、比較的狭く作業スペースが限られているため、便器本体の着脱の作業効率が低下していた。これに加えて、作業員が便器本体を取り外した後に、その便器本体を床に置いた場合、便器本体の下部の外面が湾曲しているため、便器本体が倒れやすくなっており、便器本体が倒れた際には、便器本体が破損してしまうおそれがある。
【０００５】
この発明は、上記のような課題を解決するためになされたものであり、作業員が１名であっても壁掛式便器の着脱作業を容易に行うことができるとともに、取り外し後の便器本体を安定して支持することができる壁掛式便器の着脱治具を得ることを目的とする。
【課題を解決するための手段】
【０００６】
この発明に係る壁掛式便器の着脱治具は、予め設定された取付高さ位置で床面から上方へ間隔をおいて壁面に固定され、かつ壁面から前方へ突出するように配置され、下部の形状が下方へ向けて先細なテーパ状である便器本体を有する壁掛式便器の着脱作業に用いられるものであって、便器本体の下部の外面のうち間口方向両側のそれぞれと接触可能な一対の便器受け部材が互いに間隔をおいて設けられ、一対の便器受け部材と便器本体の下部の外面とが接触して一対の便器受け部材の間に便器本体の下部が嵌ることによって、便器本体を取付高さ位置で支持し、便器本体を支持したままの状態で移動可能な便器用台車を備えたものである。
【発明の効果】
【０００７】
この発明の壁掛式便器の着脱治具は、一対の便器受け部と便器本体の下部の外面とが接触して一対の便器受け部材の間に便器本体の下部が嵌ることによって、便器用台車が便器本体を取付高さ位置で支持し、その便器本体を支持したままの状態で便器用台車が移動可能となっているので、便器本体を壁面に着脱する際に便器本体の上げ下ろし作業が不要となることにより、作業員が１名であっても壁掛式便器の着脱作業を容易に行うことができるとともに、壁面から取り外された便器本体を安定して支持することができる。
【発明を実施するための最良の形態】
【０００８】
以下、この発明を実施するための最良の形態について、図面を参照して説明する。
実施の形態１．
図１は、この発明の実施の形態１による壁掛式便器の着脱治具を示す側面図である。図２は、図１の便器用台車１を示す背面図である。図３，４は、図１の便器用台車１を示す斜視図である。なお、図３は、第１側面部１ｂ及び背部の開口を図の手前側から見た状態を示し、図４は、便器用台車１の背部の開口を図の手前側から見た状態を示す。
図１〜４において、便器用台車１は、例えばプラスチックケースによって構成されている。また、便器用台車１は、正面部１ａ、第１側面部１ｂ、第２側面部１ｃ及び底面部１ｄを有している。さらに、便器用台車１の背部及び上部には、それぞれ開口が空けられている。
【０００９】
また、便器用台車１には、正面部１ａ、第１側面部１ｂ、第２側面部１ｃ及び底面部１ｄによって、内部スペースが形成されている。第１側面部１ｂ、第２側面部１ｃ及び底面部１ｄの外面には、例えばスチールアングルからなる一対の補強材２Ａ，２Ｂが互いに間隔をおいて取り付けられている。第１側面部１ｂ及び第２側面部１ｃのそれぞれの背部側の下端は、上部から底面部１ｄへ向けて傾斜するように、長さ方向外側（図１の左方）へ張り出している。底面部１ｄには、４つの車輪部材３Ａ〜３Ｄが転動自在に取り付けられている。便器用台車１は、車輪部材３Ａ〜３Ｄが転動されることによって、水平方向へ移動可能となっている。
【００１０】
また、底面部１ｄの上面には、一対の便器支持部材４，５が、立てて設けられている。さらに、底面部１ｄの上面には、補強板６が貼り付けられて固定されている。一対の便器支持部材４，５は、例えば木片又は金属片によって構成されている。また、一対の便器支持部材４，５は、互いに間隔をおいて対向するように配置されている。便器支持部材４は、第１側面部１ｂの内面に沿って配置されている。便器支持部材５は、第２側面部１ｃの内面に沿って配置されている。
【００１１】
一対の便器支持部材４，５のそれぞれの上端には、例えばゴム板等の弾性体により形成された一対の便器受け部材７，８が取り付けられている。一対の便器支持部材４，５及び一対の便器受け部材７のそれぞれの形状は、便器用台車１の背部の開口側から正面部１ａ側へ向けて厚み寸法（図２の手前側から奥側へ向けて図２の左右方向の寸法）が連続的に増加するような形状となっている。
【００１２】
つまり、便器支持部材４及び便器受け部材７と、便器支持部材５及び便器受け部材８との間の空間は、便器用台車１の背部の開口側から正面部１ａ側へ向けて窄むように形成されている。即ち、一対の便器受け部材７，８同士の間の空間は、便器用台車１の背部の開口が壁面１００へ向けられて便器用台車１が壁面１００に対向しているときに、壁面１００から前方へ向けて先細に連続的に窄むように形成されている。
【００１３】
一対の便器受け部材７，８のそれぞれの上面及び側面のなす角には、切り欠き状の傾斜面部７ａ，８ａが設けられている。傾斜面部７ａ，８ａは、便器用台車１の第１側面部１ｂ及び第２側面部１ｃのそれぞれの上端から底面部１ｄの幅方向中心へ向けて先細なテーパ状となるように形成されている。なお、第１側面部１ｂ及び第２側面部１ｃのそれぞれの上端には、便器用台車１を移動させるための一対の取っ手部材９Ａ，９Ｂが取り付けられている。
【００１４】
次に、便器用台車１の寸法の一例について説明する。便器用台車１の第１側面部１ｂと第２側面部１ｃとの間の寸法（図２の矢示Ａ１）は、約３５０ｍｍとなっている。便器用台車１の底面部１ｄと上部との間の寸法（便器用台車１の高さ寸法；図２の矢示Ｂ１）は、約３５０ｍｍとなっている。便器用台車１の底面部１ｄの長さ寸法（図１の矢示Ｃ１）は、約６５０ｍｍとなっている。
【００１５】
一対の便器支持部材４，５の高さ寸法（図２の矢示Ｂ２）は、約１５０ｍｍとなっている。一対の便器支持部材４，５同士の間の背部側の間隔寸法（図２の矢示Ａ２）は、約２５０ｍｍとなっている。一対の便器支持部材４，５同士の間の正面部１ａ側の間隔寸法（図２の矢示Ａ３）は、約１５０ｍｍとなっている。一対の便器支持部材４，５の正面部１ａ側の端と、正面部１ａとの間の間隔寸法（図１の矢示Ｃ３）は、約１７０ｍｍとなっている。
【００１６】
一対の便器受け部材７，８の高さ寸法（図２の矢示Ｂ３）は、約５０ｍｍとなっている。一対の取っ手部材９Ａ，９Ｂの外縁の厚み寸法（図２の矢示Ｂ４）は、約５０ｍｍとなっている。また、一対の取っ手部材９Ａ，９Ｂ同士の間の間隔寸法（図２の矢示Ａ４）は、約４５０ｍｍとなっている。第１側面部１ｂ及び第２側面部１ｃの上端の長さ寸法（図１の矢示Ｃ２）は、約５００ｍｍとなっている。車輪部材３Ａ〜３Ｄの直径寸法は、約５０ｍｍとなっている。
【００１７】
次に、壁掛式便器の取り付け状態について説明する。図５は、便器本体２０の壁面（トイレ壁）１００への取付状態を示す斜視図である。図５において、便器本体２０は、陶器によって形成されている。便器本体２０の背面部は、例えばボルト又はナット等の固定具３０によって、壁面１００に固定されている。また、便器本体２０の上面部は、予め設定された取付高さ位置（例えば４００ｍｍ〜５００ｍ程度）に配置されている。
【００１８】
便器本体２０の前面部は、壁面１００から奥行き方向の前方へ突出するように配置されている。便器本体２０の下部の形状は、下方へ先細なテーパ状でかつ湾曲状となっている。また、便器本体２０の下端部は、床面（トイレ床）１０１から上方へ１００ｍｍ程度の間隔をおいて配置されている。
【００１９】
便器本体２０の上面部には、便受け用のＯ字状の開口２０ａが設けられている。また、便器本体２０の上面部には、腰掛け用のＯ字状の便座２１と、シャワー制御装置２２とが設けられている。シャワー制御装置２２は、便器本体２０に設けられたシャワー装置（図示せず）の駆動を制御する。
【００２０】
ここで、便器用台車１において、一対の便器受け部材７，８の傾斜面部７ａ，８ａの形状は、便器本体２０の下部の外面のうち間口方向両側の形状に対応している。また、一対の便器受け部材７，８の傾斜面部７ａ，８ａは、便器本体２０の下部の外面のうち間口方向両側と接触可能となっている。
【００２１】
また、一対の便器受け部材７，８の傾斜面部７ａ，８ａのそれぞれと、便器本体２０の底面部の外面のうち間口方向両側のそれぞれとが接触（密着）することによって、便器本体２０の下部が一対の便器受け部材７，８同士の間に嵌り込む。そして、便器本体２０の下部が一対の便器受け部材７，８同士の間に嵌り込むことによって、便器本体２０が便器用台車１により支持され、便器用台車１は、便器本体２０を支持した状態で移動可能となっている。
【００２２】
次に、便器用台車１を用いた便器本体２０の着脱作業について説明する。図６〜９は、図５の便器本体２０の着脱作業の一行程を説明するための説明図である。なお、図８，９では、便座２１及びシャワー制御装置２２を省略して示す。まず、図６に示すように、便器用台車１の背部を便器本体２０の前部に向けた状態で、便器用台車１を便器本体２０の前方に配置する。
【００２３】
そして、図７に示すように、便器本体２０の下方に便器用台車１を押し込むと、一対の便器受け部材７，８のそれぞれの傾斜面部７ａ，８ａが便器本体２０の下部の外面のうち幅方向両側面のそれぞれと接触して密着する。これにより、傾斜面部７ａと傾斜面部８ａとの間に便器本体２０の下部が嵌る。
【００２４】
この状態において、図８，９に示すように、便器本体２０の背面部に挿入された固定具３０が取り外される。これとともに、壁面１００に設けられた給排水管（図示せず）と、便器本体２０の給排水管（図示せず）とが互いに切り離されて、便器本体２０が壁面１００から取り外される。
【００２５】
この際に、一対の便器受け部材７，８のそれぞれの傾斜面部７ａ，８ａと、便器本体２０の下部の外面とが互いに密着していることにより、便器本体２０が一対の便器支持部材４，５を介して便器用台車１の底面部１ｄから支持される。また、便器本体２０の高さ位置は、便器用台車１によって取付高さ位置で保持される。つまり、便器本体２０の高さ位置は、着脱の前後で、所定の取付高さ位置のままで変化しない。
【００２６】
そして、便器本体２０を支持したままの状態で便器用台車１がトイレの個室内からその外部へ移動されることによって、その個室内に作業用スペースが形成され、便器本体２０又は壁面１００の給排水管が点検される。なお、図１０〜１２のそれぞれは、便器本体２０が便器用台車１によって支持された状態を示す平面図、側面図及び斜視図である。また、図１０〜１２では、便座２１及びシャワー制御装置２２を省略して示す。
【００２７】
便器本体２０又は壁面１００の給排水管の点検が終了すると、トイレの個室の外部から個室内へ便器用台車１が移動されて、便器本体２０の背面部が壁面１００に接するように便器用台車１が配置される。この状態で、壁面１００の給排水管と便器本体２０の給排水管とが互いに接続されて、便器本体２０の背面部に固定具３０が挿入されることによって、便器本体２０が壁面１００に取り付けられる。これにより、壁掛式便器の点検作業が終了する。
【００２８】
上記のような壁掛式便器の着脱治具では、所定の高さ位置で便器本体２０を支持した状態で便器用台車１が移動可能となっているので、便器本体２０を壁面１００に着脱する際に便器本体２０の上げ下ろし作業が不要となることにより、作業員が１名であっても便器本体２０の着脱作業を容易に行うことができるとともに、壁面１００から取り外された便器本体２０を安定して支持することができる。これに加えて、従来の壁掛式便器の着脱作業における便器本体の仮置き行程が不要となることにより、便器本体２０の破損を防ぐことができる。
【００２９】
また、一対の便器受け部材７，８のそれぞれに傾斜面部７ａ，８ａが設けられているので、便器本体２０の取付高さ位置が、基準の取付高さ位置から偏っている場合に、ある程度（例えば１００ｍｍ程度）の範囲内であれば、その便器本体２０の取付高さ位置の偏りに対応することができる。
【００３０】
さらに、一対の便器受け部材７，８が弾性体によって形成されているので、便器本体２０の下部の外面への密着性を向上させることができる。これとともに、便器本体２０の下部の外面のうち間口方向両側のそれぞれと一対の便器受け部材７，８のそれぞれとが接触したことに伴う便器本体２０の外面の損傷を防ぐことができる。
【００３１】
また、一対の便器受け部材７，８同士の間の空間が、便器用台車１が壁面１００に対向しているときに壁面１００から前方へ向けて先細に連続的に窄むように形成されているので、一対の便器受け部材７，８のそれぞれと、便器本体２０の下部の外面のうち幅方向両側のそれぞれとの接触面積が比較的広くなることによって、より安定して便器本体２０を支持することができ、便器本体２０の搬送中に便器用台車１からの便器本体２０の落下を防ぐことができる。
【００３２】
なお、実施の形態１では、壁掛式便器の着脱治具を壁掛式便器の点検作業に用いた例について説明したが、この発明の壁掛式便器の着脱治具は、壁掛式便器の据付作業にも用いることができる。
【図面の簡単な説明】
【００３３】
【図１】この発明の実施の形態１による壁掛式便器の着脱治具を示す側面図である。
【図２】図１の便器用台車を示す背面図である。
【図３】図１の便器用台車を示す斜視図である。
【図４】図１の便器用台車を示す斜視図である。
【図５】壁掛式便器の壁面への取付状態を示す斜視図である。
【図６】図５の便器本体の着脱作業の一行程を説明するための説明図である。
【図７】図５の便器本体の着脱作業の一行程を説明するための説明図である。
【図８】図５の便器本体の着脱作業の一行程を説明するための説明図である。
【図９】図５の便器本体の着脱作業の一行程を説明するための説明図である。
【図１０】図５の便器本体が便器用台車によって支持された状態を示す平面図である。
【図１１】図５の便器本体が便器用台車によって支持された状態を示す側面図である。
【図１２】図５の便器本体が便器用台車によって支持された状態を示す斜視図である。
【符号の説明】
【００３４】
１  便器用台車、７，８  便器受け部材、７ａ，８ａ  傾斜面部、２０  便器本体、１００  壁面、１０１  床面。
【図１】
2009203618.tif 000003
【図２】
2009203618.tif 000004
【図３】
2009203618.tif 000005
【図４】
2009203618.tif 000006
【図５】
2009203618.tif 000007
【図６】
2009203618.tif 000008
【図７】
2009203618.tif 000009
【図８】
2009203618.tif 000010
【図９】
2009203618.tif 000011
【図１０】
2009203618.tif 000012
【図１１】
2009203618.tif 000013
【図１２】
2009203618.tif 000014